【手続補正書】
【提出日】令和2年5月7日(2020.5.7)
【手続補正１】
【補正対象書類名】特許請求の範囲
【補正対象項目名】全文
【補正方法】変更
【補正の内容】
【特許請求の範囲】
【請求項１】
発光層を有する発光素子であって、
前記発光層は、第１の有機化合物と、第２の有機化合物と、を有し、
前記第１の有機化合物および前記第２の有機化合物の一方は、前記第１の有機化合物および前記第２の有機化合物の他方のＬＵＭＯ準位以上のＬＵＭＯ準位を有し、且つ、前記第１の有機化合物および前記第２の有機化合物の他方のＨＯＭＯ準位以上のＨＯＭＯ準位を有し、
前記第１の有機化合物と、前記第２の有機化合物と、が第１の励起錯体を形成する組み合わせであり、
前記第１の有機化合物は、三重項励起エネルギーを発光に変換することができる機能を有し、
前記発光層が呈する発光は、前記第１の有機化合物が呈する発光、及び前記第１の励起錯体が呈する発光、を有し、
前記発光層が呈する発光に対する、前記第１の励起錯体が呈する発光の割合が、０％より大きく６０％以下である、発光素子。
【請求項２】
発光層を有する発光素子であって、
前記発光層は、第１の有機化合物と、第２の有機化合物と、を有し、
前記第１の有機化合物および前記第２の有機化合物の一方は、前記第１の有機化合物および前記第２の有機化合物の他方のＬＵＭＯ準位以上のＬＵＭＯ準位を有し、且つ、前記第１の有機化合物および前記第２の有機化合物の他方のＨＯＭＯ準位以上のＨＯＭＯ準位を有し、
前記第１の有機化合物と、前記第２の有機化合物と、が第１の励起錯体を形成する組み合わせであり、
前記第１の有機化合物は、三重項励起エネルギーを発光に変換することができる機能を有し、
前記第１の有機化合物が呈する発光のエネルギーをＥＧ＿ｅｍとし、前記第１の励起錯体が呈する発光のエネルギーをＥＥｘ＿ｅｍとするとき、
０ｅＶ＜ＥＧ＿ｅｍ−ＥＥｘ＿ｅｍ≦０．２３ｅＶ
の関係式を満たす、発光素子。
【請求項３】
請求項２において、
前記ＥＧ＿ｅｍは、前記第１の有機化合物が呈する発光スペクトルの最も短波長側の発光ピークの波長から算出されるエネルギーである、発光素子。
【請求項４】
発光層を有する発光素子であって、
前記発光層は、第１の有機化合物と、第２の有機化合物と、を有し、
前記第１の有機化合物および前記第２の有機化合物の一方は、前記第１の有機化合物および前記第２の有機化合物の他方のＬＵＭＯ準位以上のＬＵＭＯ準位を有し、且つ、前記第１の有機化合物および前記第２の有機化合物の他方のＨＯＭＯ準位以上のＨＯＭＯ準位を有し、
前記第１の有機化合物と、前記第２の有機化合物と、が第１の励起錯体を形成する組み合わせであり、
前記第１の有機化合物は、三重項励起エネルギーを発光に変換することができる機能を有し、
前記第１の有機化合物の吸収スペクトルの吸収端から算出される遷移エネルギーをＥＧ＿ａｂｓとし、前記第１の励起錯体が呈する発光のエネルギーをＥＥｘ＿ｅｍとするとき、
０ｅＶ＜ＥＧ＿ａｂｓ−ＥＥｘ＿ｅｍ≦０．３０ｅＶ
の関係式を満たす、発光素子。
【請求項５】
請求項２乃至請求項４のいずれか一項において、
前記ＥＥｘ＿ｅｍは、前記第１の励起錯体が呈する発光スペクトルの最も短波長側の発光ピークの波長から算出されるエネルギーである、発光素子。
【請求項６】
発光層を有する発光素子であって、
前記発光層は、第１の有機化合物と、第２の有機化合物と、を有し、
前記第１の有機化合物および前記第２の有機化合物の一方は、前記第１の有機化合物および前記第２の有機化合物の他方のＬＵＭＯ準位以上のＬＵＭＯ準位を有し、且つ、前記第１の有機化合物および前記第２の有機化合物の他方のＨＯＭＯ準位以上のＨＯＭＯ準位を有し、
前記第１の有機化合物は、三重項励起エネルギーを発光に変換することができる機能を有し、
前記第１の有機化合物の吸収スペクトルの吸収端から算出される遷移エネルギーをＥＧ＿ａｂｓとし、前記第１の有機化合物および前記第２の有機化合物の一方のＨＯＭＯ準位と前記第１の有機化合物および前記第２の有機化合物の他方のＬＵＭＯ準位とのエネルギー差をΔＥＥｘとするとき、
０ｅＶ＜ＥＧ＿ａｂｓ−ΔＥＥｘ≦０．２３ｅＶ
の関係式を満たす、発光素子。
【請求項７】
請求項６において、
前記第１の有機化合物と、前記第２の有機化合物と、が第１の励起錯体を形成する組み合わせである、発光素子。
【請求項８】
請求項１乃至請求項７のいずれか一項において、
前記第２の有機化合物の最低励起三重項エネルギー準位は、前記第１の有機化合物の最低励起三重項エネルギー準位以上であり、
前記第１の有機化合物の最低励起三重項エネルギー準位は、前記第１の励起錯体の最低励起三重項エネルギー準位以上である、発光素子。
【請求項９】
請求項１乃至請求項８のいずれか一項において、
前記発光層は、さらに、第３の有機化合物を有し、
前記第２の有機化合物および前記第３の有機化合物の一方は、前記第２の有機化合物および前記第３の有機化合物の他方のＬＵＭＯ準位以上のＬＵＭＯ準位を有し、且つ、前記第２の有機化合物および前記第３の有機化合物の他方のＨＯＭＯ準位以上のＨＯＭＯ準位を有し、
前記第２の有機化合物と、前記第３の有機化合物と、が第２の励起錯体を形成する組み合わせである、発光素子。
【請求項１０】
請求項９において、
前記第２の有機化合物の最低励起三重項エネルギー準位および前記第３の有機化合物の最低励起三重項エネルギー準位は、前記第２の励起錯体の最低励起三重項エネルギー準位以上であり、
前記第２の励起錯体の最低励起三重項エネルギー準位は、前記第１の有機化合物の最低励起三重項エネルギー準位以上である、発光素子。
【請求項１１】
請求項９または請求項１０において、
前記第２の有機化合物または前記第３の有機化合物の一方は、正孔を輸送することができる機能を有し、
前記第２の有機化合物または前記第３の有機化合物の他方は、電子を輸送することができる機能を有する、発光素子。
【請求項１２】
請求項１１において、
前記第２の有機化合物または前記第３の有機化合物の一方は、π電子過剰型複素芳香環骨格または芳香族アミン骨格の少なくとも一方を有し、
前記第２の有機化合物または前記第３の有機化合物の他方は、π電子不足型複素芳香環骨格を有する、発光素子。
【請求項１３】
請求項１乃至請求項１２のいずれか一項において、
前記発光層が呈する発光は、前記第１の有機化合物が呈する発光、及び前記第１の励起錯体が呈する発光、を有し、
前記発光層が呈する発光は、発光強度が１％以下となる時間が３７μｓ以下の発光成分を有する、発光素子。
【請求項１４】
請求項１乃至請求項１３のいずれか一項において、
前記第１の有機化合物は、イリジウムを有する、発光素子。
【請求項１５】
請求項１４において、
前記第１の有機化合物は、前記イリジウムに配位する配位子を有し、
前記配位子は、含窒素五員複素環骨格を有する、発光素子。
【請求項１６】
請求項１５において、
前記第２の有機化合物は、π電子不足型複素芳香環骨格を有する、発光素子。
【請求項１７】
請求項１乃至請求項１６のいずれか一項に記載の発光素子と、
カラーフィルタまたはトランジスタの少なくとも一方と、を有する表示装置。
【請求項１８】
請求項１７に記載の表示装置と、
筐体またはタッチセンサの少なくとも一方と、を有する電子機器。
【請求項１９】
請求項１乃至請求項１６のいずれか一項に記載の発光素子と、
筐体またはタッチセンサの少なくとも一方と、を有する照明装置。